(57)【特許請求の範囲】
【請求項１】
床面にタイルやカーペット等の化粧シートを隣接せしめて敷設した床構造において、化粧シート材の表面よりも隆起する踏面により視覚障害者に歩行進路を指示する誘導鋲に関して、化粧シート材の表面に配置されると共に１枚の化粧シート材からはみ出さない長さとされる細長い各１本の単位鋲(1a)を構成する誘導鋲本体(4)において、
前記誘導鋲本体(4)は、単位鋲(1a)の長さ方向に関して分割された複数の分割体(5)(5)を相互に接合せしめることにより形成され、該分割体(5)(5)の互いに接合される部位に相互に離反方向に係合する結合手段(8)を設けており、
前記分割体(5)は、長さを相違せしめた数種類の分割体(5a)(5b,5c)を構成しており、数種類の分割体(5a)(5b,5c)を選択し組み合わせることにより、縦横の寸法を相違せしめた複数サイズの化粧シート材に対応する長さの単位鋲(1a)を形成するように構成されて成ることを特徴とする床用点字鋲における誘導鋲。
【請求項２】
分割体(5)(5)の接合面に関して、分割体(5)の幅を二分する中心線(X)の一側部に位置して接合面から凹入するソケット手段(6)を設けると共に、該中心線(X)の他側部に位置して接合面から突出するプラグ手段(7)を設けており、プラグ手段(7)をソケット手段(6)に離反不能に嵌入せしめることにより結合手段を構成して成ることを特徴とする請求項１に記載の床用点字鋲における誘導鋲。
【請求項３】
分割体(5)は、踏面(11)の反対側に位置する設置面を凹入せしめられた凹部(13)の周囲に周壁(9)を形成すると共に、周壁(9)のうち相互に接合される分割体の対向部位に位置する壁部により接合壁(10)を構成しており、
分割体(5)の幅を二分する中心線(X)の一側部に位置して、接合壁(10)を設置面側から切欠することにより該切欠部(15)に臨んで形成した係止壁(16)と、該係止壁(16)の内側に形成され設置面側に開口する係止空間(17)によりソケット手段(6)を構成し、
前記中心線(X)の他側部に位置して、接合壁(10)から突出する突起(19)と、該突起(19)の先端から踏面側(11)に向けて折曲形成された鉤部(20)によりプラグ手段(7)を構成して成り、
単位鋲(1a)を形成するように踏面(11)(11)を整列して接合壁(10)(10)を接合せしめられた一対の分割体(5)(5)の間において、一方の分割体(5)におけるプラグ手段(7)の突起(19)を他方の分割体(5)におけるソケット手段(6)の切欠部(15)に嵌入すると共に、一方の分割体(5)におけるプラグ手段(7)の鉤部(20)を他方の分割体(5)におけるソケット手段(6)の係止空間(17)に嵌入せしめることにより、一対の分割体(5)(5)を長手方向及び幅方向に離反不能に係合する結合手段(8)を構成して成ることを特徴とする請求項１又は２に記載の床用点字鋲における誘導鋲。
【発明の詳細な説明】
【０００１】
【発明の属する技術分野】
本発明は、病院やホテル、その他の建造物における床、特に、床面にタイルやカーペット等の化粧シート材を敷設した床構造において、視覚障害者に進路情報を与えるための点字鋲、特に、視覚障害者に歩行進路を指示する細長い誘導鋲に関する。
【０００２】
【従来の技術】
従来、例えば、道路の横断歩道や、鉄道の駅構内に見られるような点字タイルが知られている。このような点字タイルは、合成樹脂により成形された矩形のタイル板から成り、タイル板の表面に所定の点字鋲を隆起するように一体成形せしめた構成とされ、タイル板の裏面全面を床面に対して接着剤で固着される。
【０００３】
近年、社会福祉の観点から、道路や駅のような危険区域に限らず、広く、病院やホテル、その他の建造物においても、視覚障害者に進路情報を与えるための点字手段の設置が要望されている。
【０００４】
この点に関して、従来の点字タイルは、接着剤によりタイル板の全体を床面に接着せしめる構成であるため、建造物の内部に敷設すると、視力を有する者にとっては美観を損ねるという問題がある。特に、建造物の床構造は、床面に塩ビ製のタイルや、タイル式カーペット等の化粧シート材を敷設し、美観に配慮しているのが一般的であるため、そこに従来のような点字タイルを貼り付けることは、著しく美観を損ない、好ましくない。また、カーペットの場合は、表面に繊維の毛羽立ちを有するため、接着剤による接着が困難であるという問題もある。
【０００５】
そこで、本出願人は、床面にタイルやカーペット等の化粧シート材を敷設した床構造に関して、個々の点字鋲を個別に固着するように構成した床用点字鋲を特願２００１−２５３７９２号として提案した。
【０００６】
【発明が解決しようとする課題】
一般的に、視覚障害者に進路情報を与える点字鋲は、視覚障害者に歩行進路を指示するために細長く延びるように形成された誘導鋲と、視覚障害者に歩行停止を指示するために円板状に形成された警告鋲との二種類に大別される。誘導鋲は、細長く延びる隆起体の１本を単位鋲として、複数本の単位鋲を平行に配置することにより、歩行進路情報を提供する。一方、警告鋲は、円板状の隆起体の１個を単位鋲として、多数の単位鋲を縦横に配置することにより、歩行停止情報を提供する。
【０００７】
床面に塩ビタイルやタイル式カーペット等の毎葉状の化粧シート材を隣接せしめて敷設した床構造において、警告鋲の場合は、それぞれ１枚宛の化粧シート材に対して、個別に固着される円板状の単位鋲を縦横に配置せしめることにより、比較的自由に警告鋲を設置することができる。
【０００８】
然しながら、誘導鋲の場合は、細長い単位鋲を所定の長さに形成すると、縦横の寸法を相違する化粧シート材に対して、同じサイズの誘導鋲を設置することができない事態を招来する。ＪＩＳ規格によれば、誘導鋲は、踏面の長さを２７０ｍｍ以上（面取り部を含む全長を２８０ｍｍ以上）に形成することが必要であるとされ、しかも、進路方向に隣接する誘導鋲の間隔を２０ｍｍ以下に設定することが必要であるとされている。これに対して、タイル式カーペットの場合、縦横の寸法を５００×５００ｍｍ、４５０×４５０ｍｍ、４００×４００ｍｍ、３００×３００ｍｍのように相違せしめた複数サイズのものが一般的に使用されており、更に、床面の隅部には３５０×３５０ｍｍのものが敷設される場合がある。
【０００９】
そこで、１枚宛の化粧シート材に対して個別に固着される誘導鋲を、それぞれのサイズの化粧シート材に固着するため、前述のような４種類のサイズに対応できる長さに形成した４種類の誘導鋲を提供しなければならないとすると、生産のためのコスト高を生じることが不可避であり、しかも、在庫管理その他の点においても種々の問題を生じる。
【００１０】
【課題を解決するための手段】
本発明は、上記課題を解決するため、所定の長さ寸法とされる単位鋲を構成する誘導鋲本体に関して、長さ方向に分割された複数の分割体を相互に接合せしめた構成とすることにより、縦横のサイズを相違する化粧シート材に対して常に対応できる誘導鋲を提供するものである。
【００１１】
そこで、本発明が手段として構成したところは、床面にタイルやカーペット等の化粧シートを隣接せしめて敷設した床構造において、化粧シート材の表面よりも隆起する踏面により視覚障害者に歩行進路を指示する誘導鋲に関して、化粧シート材の表面に配置されると共に１枚の化粧シート材からはみ出さない長さとされる細長い各１本の単位鋲を構成する誘導鋲本体において、前記誘導鋲本体は、単位鋲の長さ方向に関して分割された複数の分割体を相互に接合せしめることにより形成され、該分割体の互いに接合される部位に相互に離反方向に係合する結合手段を設けており、前記分割体は、長さを相違せしめた数種類の分割体を構成しており、数種類の分割体を選択し組み合わせることにより、縦横の寸法を相違せしめた複数サイズの化粧シート材に対応する長さの単位鋲を形成するように構成されて成る点にある。
【００１２】
分割体の接合面は、分割体の幅を二分する中心線の一側部に位置して接合面から凹入するソケット手段を設けると共に、該中心線の他側部に位置して接合面から突出するプラグ手段を設けており、プラグ手段をソケット手段に離反不能に嵌入せしめることにより結合手段を構成することが好ましい。
【００１３】
分割体は、踏面の反対側に位置する設置面を凹入せしめられた凹部の周囲に周壁を形成すると共に、周壁のうち相互に接合される分割体の対向部位に位置する壁部により接合壁を構成しており、分割体の幅を二分する中心線の一側部に位置して、接合壁を設置面側から切欠することにより該切欠部に臨んで形成した係止壁と、該係止壁の内側に形成され設置面側に開口する係止空間によりソケット手段を構成し、前記中心線の他側部に位置して、接合壁から突出する突起と、該突起の先端から踏面側に向けて折曲形成された鉤部によりプラグ手段を構成して成り、単位鋲を形成するように踏面を整列して接合壁を接合せしめられた一対の分割体の間において、一方の分割体におけるプラグ手段の突起を他方の分割体におけるソケット手段の切欠部に嵌入すると共に、一方の分割体におけるプラグ手段の鉤部を他方の分割体におけるソケット手段の係止空間に嵌入せしめることにより、一対の分割体を長手方向及び幅方向に離反不能に係合する結合手段を構成することが好ましい。
【００１４】
【発明の実施の形態】
以下図面に基づいて本発明の好ましい実施形態を詳述する。
【００１５】
図１及び図５に示すように、誘導鋲１は、それぞれ合成樹脂により一体成形された細長い単位鋲１ａの複数本を平行に配置することにより構成されており、各単位鋲１ａは、化粧シート材２の裏面に配置される固定具３と、化粧シート材２の表面に配置される誘導鋲本体４により構成されている。図５は、縦横の寸法を相違せしめた複数サイズのタイル式カーペットから成る化粧材シート２に対して誘導鋲１を設置した例を示しており、図５（Ａ）は５００×５００ｍｍサイズの化粧材シート２Ａを示し、図５（Ｂ）は４５０×４５０ｍｍサイズの化粧シート材２Ｂを示し、図５（Ｃ）は４００×４００ｍｍサイズの化粧シート材２Ｃを示し、図５（Ｄ）は３００×３００ｍｍサイズの化粧シート材２Ｄを示しており、それぞれ一般的に市場に供給されているサイズのものであり、建造物の床面に隣接して敷設される。また、図５（Ｅ）は３５０×３５０ｍｍサイズの化粧シート材２Ｅを示しており、床面の隅部に敷設する際に使用される。何れの化粧シート材２Ａ、２Ｂ、２Ｃ、２Ｄ、２Ｅに設置される誘導鋲１においても、細長い各１本を構成する単位鋲１ａは、１枚の化粧シート材２からはみ出さない長さのものとされている。
【００１６】
単位鋲１ａを構成する誘導鋲本体４は、図１に示すように、長さ方向に関して分割された複数の分割体５、５から構成され、分割体５、５を相互に接合せしめることにより１本の誘導鋲本体４（単位鋲１ａ）を形成する。このため、分割体５、５は、相互に接合させる対向部位に、相互に離反不能に係合するソケット手段６とプラグ手段７とから成る結合手段８を設けている。
【００１７】
図例の場合、分割体５、５は、誘導鋲本体４を二分割した構成とされ、３種類の分割体５ａ、５ｂ、５ｃを使用することにより、全てのサイズの化粧シート材２Ａ、２Ｂ、２Ｃ、２Ｄ、２Ｅに対応した単位鋲１ａを形成できるように構成されている。
【００１８】
例えば、図５（Ａ）に示す化粧シート材２Ａは、一辺の寸法ＷＡを５００ｍｍとした正方形であり、全長の寸法ｗａを２４０ｍｍとした２本の分割体５ａ、５ａを接合せしめることにより誘導鋲１の単位鋲１ａを構成している。従って、単位鋲１ａの全長は４８０ｍｍ（２４０ｍｍ×２）とされ、ＪＩＳ規格の「２７０ｍｍ以上」を満足する。また、進路方向に隣接する化粧シート材２Ａ、２Ａの間における単位鋲１ａ、１ａの間隔寸法ｓａは、２０ｍｍとされるので、ＪＩＳ規格の「２０ｍｍ以下」を満足する。
【００１９】
図５（Ｂ）に示す化粧シート材２Ｂは、一辺の寸法ＷＢを４５０ｍｍとした正方形であり、全長の寸法ｗａを２４０ｍｍとした分割体５ａと、全長の寸法ｗｂを１９０ｍｍとした分割体５ｂを接合せしめることにより誘導鋲１の単位鋲１ａを構成している。従って、単位鋲１ａの全長は４３０ｍｍ（２４０ｍｍ＋１９０ｍｍ）とされ、ＪＩＳ規格の「２７０ｍｍ以上」を満足する。また、進路方向に隣接する化粧シート材２Ｂ、２Ｂの間における単位鋲１ａ、１ａの間隔寸法ｓｂは、２０ｍｍとされるので、ＪＩＳ規格の「２０ｍｍ以下」を満足する。
【００２０】
図５（Ｃ）に示す化粧シート材２Ｃは、一辺の寸法ＷＣを４００ｍｍとした正方形であり、全長の寸法ｗｂを１９０ｍｍとした２本の分割体５ｂ、５ｂを接合せしめることにより誘導鋲１の単位鋲１ａを構成している。従って、単位鋲１ａの全長は３８０ｍｍ（１９０ｍｍ×２）とされ、ＪＩＳ規格の「２７０ｍｍ以上」を満足する。また、進路方向に隣接する化粧シート材３Ｃ、３Ｃの間における単位鋲１ａ、１ａの間隔寸法ｓｃは、２０ｍｍとされるので、ＪＩＳ規格の「２０ｍｍ以下」を満足する。
【００２１】
図５（Ｄ）に示す化粧シート材２Ｄは、一辺の寸法ＷＤを３００ｍｍとした正方形であり、全長の寸法ｗｃを１４０ｍｍとした２本の分割体５ｃ、５ｃを接合せしめることにより誘導鋲１の単位鋲１ａを構成している。従って、単位鋲１ａの全長は２８０ｍｍ（１４０ｍｍ×２）とされ、ＪＩＳ規格の「２７０ｍｍ以上」を満足する。また、進路方向に隣接する化粧シート材３Ｄ、３Ｄの間における単位鋲１ａ、１ａの間隔寸法ｓｄは、２０ｍｍとされるので、ＪＩＳ規格の「２０ｍｍ以下」を満足する。
【００２２】
更に、図５（Ｅ）に示す化粧シート材２Ｅは、一辺の寸法ＷＥを３５０ｍｍとした正方形とされ、上述したように床面の隅部に敷設されるものであり、全長の寸法ｗｂを１９０ｍｍとした分割体５ｂと、全長の寸法ｗｃを１４０ｍｍとした分割体５ｃを接合せしめることにより誘導鋲１の単位鋲１ａを構成している。従って、単位鋲１ａの全長は３３０ｍｍ（１９０ｍｍ＋１４０ｍｍ）とされ、ＪＩＳ規格の「２７０ｍｍ以上」を満足する。また、進路方向に隣接する化粧シート材２Ｅ、２Ｅの間における単位鋲１ａ、１ａの間隔寸法ｓｅは、２０ｍｍとされるので、ＪＩＳ規格の「２０ｍｍ以下」を満足する。
【００２３】
従って、図示実施形態において、単位鋲１ａを構成する誘導鋲本体４は、長さを相違せしめた分割体５ａ、５ｂ、５ｃの３種類を選択し組み合わせることにより、図５（Ａ）（Ｂ）（Ｃ）（Ｄ）（Ｅ）に示すような５種類のサイズの化粧シート材２Ａ、２Ｂ、２Ｃ、２Ｄ、２Ｅに対応した５種類の長さの単位鋲１ａ（全長４８０ｍｍ、４３０ｍｍ、３８０ｍｍ、２８０ｍｍ、３３０ｍｍの５種類）を好適に形成することができる。
【００２４】
分割体５ａ、５ｂ、５ｃ（以下分割体５と総称する）は、図１（Ａ）に示すように、周壁９の一辺を構成する壁部により接合壁１０を構成し、該接合壁１０を除く周壁９から頂部の踏面１１に至り傾斜する面取り状の斜面１２を形成しており、一対の分割体５、５の接合壁１０、１０を対面せしめることにより、一方の分割体５におけるプラグ手段７を他方の分割体５におけるソケット手段６に嵌入せしめることにより連結結合される。
【００２５】
図１（Ｂ）及び図３（Ａ）に示すように、分割体５は、踏面１１の反対側に位置する設置面を凹入せしめられた凹部１３を形成し、前記斜面１２とほぼ平行な傾斜面１４を周壁９の内周面に設けている。そこで、分割体５の幅を二分する中心線Ｘに対して、該中心線Ｘの一側部にソケット手段６が設けられ、該中心線Ｘの他側部にプラグ手段７が設けられている。
【００２６】
ソケット手段６は、前記中心線Ｘの一側部に位置して接合壁１０を設置面側から切欠することにより該切欠部１５に臨む係止壁１６を形成すると共に、該係止壁１６の内側に形成され設置面側に開口する係止空間１７を形成している。図例において、係止空間１７は凹部１３よりもやや深く形成され、周壁９に近傍する係止空間１７の側部と係止壁１６の側部にわたって連なる側面に、傾斜面１４と同方向に傾斜するガイド傾斜面１８を形成している。
【００２７】
プラグ手段７は、前記中心線Ｘの他側部に位置して接合壁１０から突出する突起１９を形成すると共に、該突起１９の先端から踏面側に向けて折曲形成された鉤部２０を設けている。図例の場合、突起１９及び鉤部２０は断面Ｌ形の板状に形成されており、突起１９及び鉤部２０の幅寸法を切欠部１５の幅寸法（係止壁１６の設置面側に臨む壁面１６ａの幅寸法）とほぼ同じく形成すると共に、鉤部２０の折曲方向の寸法を係止空間１７の深さ寸法（係止壁１６の前記壁面１６ａから係止空間１７の底面までの深さ寸法）とほぼ同じく形成している。
【００２８】
上記構成のようなソケット手段６とプラグ手段７を備えた結合手段８によれば、図２（Ａ）に示すように、一対の分割体５、５の接合壁１０、１０を対向せしめると、相互にソケット手段６とプラグ手段７が対向せしめられるので、分割体５、５を互いに中心線Ｘの軸回りに偏位せしめた傾斜姿勢の状態で、図示矢印Ｆのように近づけることにより接合壁１０、１０を衝合又は近接せしめた後、図示矢印Ｒのように踏面１１、１１が面一となるまで互いに中心線Ｘの軸回りに回動せしめれば、図２（Ｂ）に示すように、一方の分割体５におけるプラグ手段７の突起１９が他方の分割体５におけるソケット手段６の切欠部１５に嵌入されると共に、一方の分割体５におけるプラグ手段７の鉤部２０が他方の分割体５におけるソケット手段６の係止空間１７に嵌入され、これにより一対の分割体５、５を長手方向及び幅方向に離反不能に係合せしめる。
【００２９】
この点の作用を図３（Ｂ）（Ｃ）（Ｄ）に示しており、分割体５、５の接合壁１０、１０を相互に衝合又は近接せしめた状態で、中心線Ｘの軸回りに偏位せしめた分割体５、５を図示矢印Ｒのように踏面１１、１１が面一となる方向に回動せしめると、係止空間１７に臨ましめられた鉤部２０のコーナ部分がガイド傾斜面１８に沿って回動しつつ係止空間１７に進入し（図３（Ｂ）（Ｃ））、突起１９が係止壁１６の壁面１６ａに当接すると、鉤部２０を係止空間１７に完全に嵌入せしめる（図３（Ｄ））。そして、このようなソケット手段６とプラグ手段７による嵌合係止は、中心線Ｘの両側部に位置する二組において同時に行われるので、結合された一対の分割体５、５は、長手方向と幅方向の何れの方向に対しても離反不能となるように連結される。このため、連結した分割体５、５により構成された単位鋲１ａを後述するように化粧シート材２に取付ける際、不慮に分割体５、５が分離したり、連結部分において屈折したりするようなことはなく、化粧シート材２に対する取付作業を容易とする。
【００３０】
誘導鋲本体４を構成する分割体５の各々は、凹部１３の底面から設置面側に向けて突出する円筒状の筒状ボス２１を設けており、筒状ボス２１の先端は、周壁９の縁部を越えて突出せしめられている。凹部１３の内部には、筒状ボス２１を含んで周壁９を相互に連結する複数のリブ２２が設けられており、図３（Ａ）に示すように、リブ２２は、係止空間１７を挟んで係止壁１６と平行に設けられた規制リブ２２ａを含んでおり、該規制リブ２２ａにより係止空間１７の内側を規制する。
【００３１】
分割体５の筒状ボス２１に対応して設けられる固定具３は、図１に示すように、床面と化粧シート材２の間に配置される円形の薄板状の座部２３と、座部２３の中心から起立する円柱形の挿入突起２４と、座部２３から起立して前記挿入突起２４の周囲を同心状に囲繞するスリーブ２５とを一体に備えている。尚、スリーブ２５は、挿入突起２４よりも背が低くなるように形成されている。
【００３２】
分割体５（誘導鋲本体４）と固定具３の固着構造に関する１実施形態を図４に示している。誘導鋲本体４の筒状ボス２１と固定具３を相互に化粧シート材２を挟んで固着せしめるためには、後述するように化粧シート材２に挿入孔３２を貫設することが必要になるが、各分割体５における筒状ボス２１の形成位置を設定することにより、化粧シート材２に挿入孔３２を等間隔で形成するだけで、誘導鋲本体４を常に所定の位置に装着可能となるように構成することができる。
【００３３】
固定具３は、座部２３がスリーブ２５の周囲から周縁に向けて下り勾配となる傾斜面２６を形成している。誘導鋲本体４の筒状ボス２１は、固定具３の挿入突起２４とスリーブ２５の間に形成された環状溝２７に嵌入される構成とされている。筒状ボス２１の内周面と挿入突起２４の外周面との間においては、筒状ボス２１の内周面に設けた突条２８が挿入突起２４の外周面に設けた突条２９を乗り越えて外嵌せしめられる構成とされている。また、筒状ボス２１の外周面とスリーブ２５の内周面との間においては、相互にアンダーカット状に設けられたテーパ面３０、３１により密嵌せしめられる構成とされている。即ち、筒状ボス２１の外周面には、下端の外径Ｄ１と上端の外径Ｄ２がＤ２＜Ｄ１となるテーパ面３０が形成され、スリーブ２５の内周面には、上端の内径ｄ１と下端の内径ｄ２がｄ１＜ｄ２となるテーパ面３１が形成されている。
【００３４】
固定具３を化粧シート材２の裏面に配置すると共に、誘導鋲本体４を化粧シート材２の表面に配置し、化粧シート材２に設けた挿入孔３２を介して、誘導鋲本体４の筒状ボス２１を固定具３の環状溝２７に嵌入することにより、誘導鋲本体４が固定具３に連結固定され、化粧シート材２を挟持する。
【００３５】
固定具３を化粧シート材２の裏面に配置する関係上、新規な化粧シート材２の場合は、裏面に固定具３を装着した状態で床面３３に敷設された後、表面から誘導鋲本体４を装着される。或いは既設の化粧シート材２の場合は、めくり上げた状態で裏面に固定具３を装着し、再び床面３３に戻して敷設した後、表面から誘導鋲本体４を装着される。この場合、固定具３を装着するための挿入孔３２をパンチ等の工具により化粧シート材２に穿孔する際、挿入孔３２の内径Ｄｚがスリーブ２５の外径ｄｚに対して、Ｄｚ＝ｄｚとなるか、或いは、Ｄｚ≒ｄｚ（但しＤｚ＜ｄｚ）となるように形成される。従って、化粧シート材２の裏面から固定具３のスリーブ２５を挿入孔３２に挿入したとき、スリーブ２５の外周面が挿入孔３２の内周面に摩擦係合する係合手段３４を構成し、化粧シート材２を床面３３に敷設する前に固定具３が脱落することを防止する。尚、固定具３に装着される誘導鋲本体４は、上述のように分割体５、５を結合手段８により連結結合した１本の単位鋲１ａを構成している。
【００３６】
図４に示す床構造は、床面３３に敷設された化粧シート材２がタイル式カーペットにより構成されており、ベースシート部３５の表面に織物層又は起毛層から成る化粧層３６を有している。誘導鋲１は、固定具３における座部２３の直径Ｄｘと、誘導鋲本体４の幅Ｄｙを、Ｄｘ≒Ｄｙ（但しＤｘ＞Ｄｙ）となるように形成されている。固定具３の座部２３から突出するスリーブ２５の高さＨｘは、化粧シート材２の全体の厚みＴ１とベースシート部３５の厚みＴ２に対して、Ｔ２＜Ｈｘ＜Ｔ１となるように形成されている。また、誘導鋲本体２の凹部１３から突出する筒状ボス２１の高さＨｙは、化粧シート材２の全体の厚みＴ１に対して、Ｈｙ＝Ｔ１又はＨｙ≒Ｔ１となるように形成されている。
【００３７】
上述したように、スリーブ２５を挿入孔３２に挿入した状態で固定具３を化粧シート材２の裏面に配置し、該化粧シート材２の表面から誘導鋲本体４の筒状ボス２１を固定具３の環状溝２７に嵌入すると、筒状ボス２１の内周面と挿入突起２４の外周面が相互に突条２８、２９を乗り越えて嵌着せしめられ、これにより第一の固定手段を構成する。また、筒状ボス２１の外周面とスリーブ２５の内周面が相互にテーパ面３０、３１により嵌着せしめられ、これにより第二の固定手段を構成する。従って、化粧シート材２を床面３３に敷設した状態において、外力の影響により、筒状ボス２１が環状溝２７から抜き出される虞れはなく、誘導鋲本体４が化粧シート材２から脱落する危険はない。
【００３８】
図４（Ａ）に示すように、床面３３と化粧シート材２の間に介装される固定具３の座部２３は、可及的に肉厚を薄く形成され、しかも、座部２３に傾斜面２６を形成しているので、誘導鋲１の周囲において化粧シート材２が上方に膨れ上がることはない。化粧シート材２の挿入孔３２に近傍する部位は、座部２３の傾斜面２６に沿って緩やかに上向きとなるが、化粧層３６を誘導鋲本体４の凹部１３に進入せしめることにより吸収され、誘導鋲本体４の周壁９の周縁９ａを化粧層３６に食い込ませる。凹部１３に進入した化粧層３６には、凹部１３の内部に形成されたリブ２２が食い込む。
【００３９】
本発明が図示の実施形態に限定されるものでないことは勿論であり、上述の実施形態は、２本の分割体５、５を結合することにより１本の単位鋲１ａを形成する構成について説明したが、２本以上の分割体５により１本の単位鋲１ａを形成するように構成しても良い。また、本発明の誘導鋲１は、上述したようなタイル式カーペットの他、塩ビ等の床タイルから成る化粧シート材２に対しても設置できることは勿論であり、この場合、塩ビ等の床タイルの肉厚は、タイル式カーペットの肉厚Ｔ１よりも薄く形成されているので、上述したような誘導鋲本体４における筒状ボス２１の高さＨｙと、固定具３における挿入突起２４の高さ及びスリーブ２５の高さＨｘを変更すれば良い。
【００４０】
【発明の効果】
請求項１に記載の本発明によれば、所定の長さ寸法とされる単位鋲１ａを構成する誘導鋲本体４は、長さ方向に分割されると共に長さを相違せしめられた数種類の分割体５、５により構成されており、選択された分割体５、５を連結結合することにより長さの異なる単位鋲１ａを形成せしめる構成であるから、縦横のサイズを相違する化粧シート材２Ａ、２Ｂ、２Ｃ、２Ｄ、２Ｅに対して常に対応可能な誘導鋲１を提供することができるという効果がある。
【００４１】
そして、請求項２に記載の本発明によれば、分割体５、５を接合せしめる結合手段８が、分割体５の幅を二分する中心線Ｘの一側部に設けられたソケット手段６と、該中心線Ｘの他側部に設けられたプラグ手段７とにより構成されているので、対向配置した一対の分割体５、５を点対称となる同一構造物とすることが可能になり、従って、同一金型で成形した一つの部品による分割体５を２本結合せしめることができ、コスト低減に貢献できるという効果がある。
【００４２】
更に、請求項３に記載の本発明によれば、中心線Ｘの軸回り方向に偏位せしめた分割体５、５の接合壁１０、１０を相互に衝合又は近接せしめた状態から、中心線Ｘの軸回り方向に回動せしめることにより、中心線Ｘの両則部において、一方の分割体５におけるプラグ手段７の突起１９を他方の分割体５におけるソケット手段６の切欠部１５に嵌入すると共に、一方の分割体５におけるプラグ手段７の鉤部２０を他方の分割体５におけるソケット手段６の係止空間１７に嵌入せしめる構成であるから、一対の分割体５、５を長手方向と幅方向の何れ方向にも離反不能に係合することができ、連結された分割体５、５により構成された１本の単位鋲１ａを化粧シート材２に取付ける際、不慮に分割体５、５が分離したり、連結部分において屈折したりするようなことはなく、化粧シート材２に対する取付作業が容易となる。
【図面の簡単な説明】
【図１】本発明の１実施形態を示しており、（Ａ）は分割体と固定具を分解した状態の誘導鋲を示す斜視図であり、（Ｂ）は該誘導鋲を反転した状態にて示す斜視図である。
【図２】誘導鋲本体を構成する分割体の連結方法を示しており、（Ａ）一対の分割体を結合する前の状態を示す斜視図であり、（Ｂ）は結合完了した状態を示す斜視図である。
【図３】誘導鋲本体を構成する分割体を示しており、（Ａ）は分割体を一部破断した状態で設置面側から示す拡大斜視図であり、（Ｂ）（Ｃ）（Ｄ）は、Ａ−Ａ線に対応する部分においてプラグ手段とソケット手段の嵌合に至る経過を示す断面図であり、（Ｅ）はＢ−Ｂ線断面図である。
【図４】化粧シート材を挟んで誘導鋲本体と固定具を相互に固着する方法を示しており、（Ａ）は固着した状態を示す断面図であり、（Ｂ）は固着する前の状態を分解して示す断面図である。
【図５】分割体の結合により構成された単位鋲を平行配置した誘導鋲を市販されている異なる大きさの化粧シート材に装着した場合を例示しており、（Ａ）は５００×５００ｍｍのサイズの化粧シート材に装着した誘導鋲を示す斜視図であり、（Ｂ）は４５０×４５０ｍｍのサイズの化粧シート材に装着した誘導鋲を示す斜視図であり、（Ｃ）は４００×４００ｍｍのサイズの化粧シート材に装着した誘導鋲を示す斜視図であり、（Ｄ）は３００×３００ｍｍのサイズの化粧シート材に装着した誘導鋲を示す斜視図であり、（Ｅ）は３５０×３５０ｍｍのサイズの化粧シート材に装着した誘導鋲を示す斜視図である。
【符号の説明】
１    誘導鋲
１ａ  単位鋲
２    化粧シート材
３    固定具
４    誘導鋲本体
５、５ａ、５ｂ、５ｃ  分割体
６    ソケット手段
７    プラグ手段
８    結合手段
９    周壁
１０    接合壁
１１    踏面
１３    凹部
１５    切欠部
１６    係止壁
１７    係止空間
１８    ガイド傾斜面
１９    突起
２０    鉤部
【図１】
0003629469.tif 000002
【図２】
0003629469.tif 000003
【図３】
0003629469.tif 000004
【図４】
0003629469.tif 000005
【図５】
0003629469.tif 000006